(57)【特許請求の範囲】
【請求項１】
軸に合成樹脂又はゴム製の擬餌を取り付けて用いる釣り針であって、
前記軸には、前記擬餌に挿着される擬餌の抜け止めが取り付けられており、
前記抜け止めはゴム又は合成樹脂より形成されており、
前記軸における抜け止め取付部の表面には、前記抜け止めが前記抜け止め取付部から抜けるのを防止するための凹凸が設けられていることを特徴とする釣り針。
【請求項２】
前記抜け止めの形状は針先側の径が小さくなるような円錐台状又は半球状であることを特徴とする請求項１に記載の釣り針。
【発明の詳細な説明】
【０００１】
【発明の属する技術分野】
本発明はゴムや合成樹脂製の擬餌を取り付けて用いる釣り針に関するものである。
【０００２】
【従来の技術】
図１及び図４はミミズ等の形に似せたワームと呼ばれる擬餌(8)を取り付けた釣り針(10)を示した図である。図１は針先が擬餌(8)から突出するように取り付けた場合を示し、図４は針先が擬餌(8)の中に差し込まれた状態で取り付けた場合を示している。
【０００３】
擬餌(8)はゴムや弾性を有した合成樹脂よりできており、釣り針(10)を針先(3)側から差し込むようにして取り付ける。
【０００４】
図７及び図８は従来の釣り針(B)，(C)を示した図である。(11)は軸、(12)は腰曲がり、(13)は針先、(14)はアゴ（戻り部）である。(15)は擬餌が釣り針から抜け落ちるのを防止するための抜け止めである。抜け止め(15)は図７に示すように軸(11)の一部を刺状としたものや、図８に示すように基部ほど径が大きくなる円錐台状部(15a)を有する鉛製のもの等が一般的である。
【０００５】
これらの抜け止め(15)は、水流や魚の食いつきにより擬餌(8)が釣り針(B)，(C)から抜ける方向に引っ張られても、擬餌(8)に引っ掛かって擬餌(8)が釣り針(B)，(C)から抜け落ちないように保持する役割を有している。
【０００６】
釣り針にこのように抜け止め(15)，(15a)を形成するには、刺状のもの(15)は鋭利な刃物で切り起こすことにより形成し、鉛などの金属製のものは(15a)は鋳込みにより釣り針に釣りつけられている。
【０００７】
【発明が解決しようとする課題】
しかしながら、大きな釣り針の場合はこのような方法でも抜け止めを問題なく作ることができたとしても、小さな釣り針の場合は切り起こし加工は困難であったり釣り針自体の強度の低下を招くおそれがある。又、鋳込みの場合も釣り針が小さい場合は抜け止めも小さくなるので熱容量が小さく、金属が直ぐに冷えて固まってしまうので正確な形状にすることが困難であり、不良品が多くできてしまう。したがって、擬餌を取り付けられる小さな釣り針は容易に製造することはできなかった。
そこで、擬餌の抜け止めを有し、量産に適した小さな釣り針が求められている。
【０００８】
【課題を解決するための手段】
本発明の請求項１の釣り針（Ａ２）は、軸（１）に合成樹脂又はゴム製の擬餌（８）を取り付けて用いる釣り針であって、軸（１）には、擬餌（８）に挿着される擬餌の抜け止め（５ｂ）が取り付けられており、抜け止め（５ｂ）はゴム又は合成樹脂より形成されており、軸（１）における抜け止め取付部の表面には、抜け止め（５ｂ）が抜け止め取付部から抜けるのを防止するための凹凸（１ａ）が設けられていることを特徴とする。
【０００９】
これによれば、抜け止めがゴムの場合は釣り針に差し込むと、ゴムの弾性により軸を締め付けるので軸の所定位置に取り付けることができる。又、合成樹脂の場合には射出成形等により釣り針に一体化してもよいし、半分づつ形成した抜け止めのパーツを釣り針の軸を挟んで接着する等して取り付けてもよい。従来のように小さな釣り針の軸の切り起こしや、金属の鋳込みは行う必要がなく、小さな釣り針にでも容易に抜け止め(5b)を形成することができる。
【００１０】
請求項２の釣り針(A2)は、請求項１の釣り針において、抜け止め(5b)の形状は針先側の径が小さくなるような円錐台状又は半球状であることを特徴とする。
【００１１】
これによれば、抜け止め(5b)に針先側ほど径が小さくなるようなテーパー又はアールが設けられているので、擬餌(8)を取り付けやすく、擬餌(8)が外れにくい。
【００１２】
【発明の実施の形態】
以下、本発明を好適な実施例を用いて説明する。
［実施例１］
図２は本実施例の釣り針(A1)を示した図である。(1)は軸、(2)は腰曲がり、(3)は針先、(4)はアゴ（戻り部）である。又、(6)は重錘部であり、(7)は釣り糸と接続するためのリング部である。
【００１３】
軸(1)に球状の抜け止め(5a)が取り付けられている。釣り針の軸(1)への抜け止め(5a)の取付は、半球状のパーツを軸を挟んで接着することにより取り付けられている。軸を挟みやすいように半球状のパーツの軸と当接する部分には溝が設けられている。
【００１４】
本実施例では抜け止め(5)はポリエチレン製としたが、シリコン，ポリエチレン，アクリル，フェノール，アクリル，ウレタン，塩化ビニル，ポリカーボネート，ポリプロピレン等の他の合成樹脂やゴムもよい。又、この抜け止め(5a)は１つでもよいし、２つ以上並設してもよい。
【００１５】
本実施例では抜け止め(5a)の形状を球状としたが、他の形状、例えばラグビーボールのような楕円体状や、卵型又は瓢箪型等の形状としても良い。
【００１６】
［実施例２］
図３は本実施例の釣り針(A2)を示した図である。軸(1)に円錐台状の抜け止め(5b)が、針先(3)側ほど径が小さくなるように取り付けられている。抜け止め(5b)の材質はゴムである。
【００１７】
本実施例では抜け止め（５ｂ）は針先（３）から差し込んで、軸（１）の所定位置に取り付けた。ゴムには弾性があるので、軸（１）を締め付けることにより取り付けられる。更に確実に取り付けたい場合は、軸（１）の抜け止め（５ｂ）取付部の表面に凹凸（１ａ）を設けて摩擦を大きくしてもよい。
【００１８】
本実施例では抜け止め(5b)の形状を円錐台状としたが、他の形状、例えば球状，楕円体，瓢箪型，卵型，角錐台状，半球状等であってもよい。又、本実施例では釣り針(A2)に抜け止め(5b)を１つ取り付けたが、実施例１と同様に２つ以上並設してもよい。又、ゴム以外であっても弾性を有する樹脂ならば本実施例と同様に差し込んで取り付けることができる。
【００１９】
本実施例のように針先(3)側ほど径が小さくなるような円錐状や半球状の抜け止め(5b)とした場合は針先側ほど径が小さくなるようなテーパー又はアールが形成されることになるので、擬餌(8)は取り付けやすく、外れにくい。
【００２０】
尚、上記の各実施例は針先(3)が擬餌(8)から突出するように取り付ける場合について説明したが、本発明は図５、図６に示すように針先(3)が擬餌内に位置するように取り付ける場合も、実施例１，２と同様の効果を得ることができる。
【００２１】
又、本発明は小さな釣り針に適用することにより特に大きな効果が得られるが、大きな釣り針にも適用することができるので、釣り針の大きさは問わない。
【００２２】
【発明の効果】
以上述べたように、本発明により擬餌の抜け止めを有し、量産に適した小さな釣り針を提供することができる。
【図面の簡単な説明】
【図１】擬餌を取り付けた釣り針を示した図。
【図２】実施例１の釣り針を示した図。
【図３】実施例２の釣り針を示した図。
【図４】擬餌を取り付けた釣り針を示した図。
【図５】他の実施例を示した図。
【図６】他の実施例を示した図。
【図７】従来の釣り針を示した図。
【図８】従来の釣り針を示した図。
【符号の説明】
(A1)   釣り針
(A2)   釣り針
(1)   軸
(2)   腰曲がり
(3)   針先
(4)   アゴ（戻り部）
(5a)  抜け止め(球状)
(5b)  抜け止め(円錐台状)
(6)   重錘部
(7)   リング部
(8)   擬餌（ワーム）
【図１】
0003781875.tif 000002
【図２】
0003781875.tif 000003
【図３】
0003781875.tif 000004
【図４】
0003781875.tif 000005
【図５】
0003781875.tif 000006
【図６】
0003781875.tif 000007
【図７】
0003781875.tif 000008
【図８】
0003781875.tif 000009